(57)【特許請求の範囲】
【請求項１】
凹部がその中に形成されているウォータ・スポーツ・ボードとともに使用するためにサイズ決めおよび構成されているボード・インサートであって、該ボード・インサートは、
射出成形材料から少なくとも部分的に形成されているインサート本体部であって、該インサート本体部は、
プリ・プレグ・シートから形成されているプリ・プレグ・フランジを有し、該プリ・プレグ・シートは、樹脂材料によって結合されている複数の構造的ストランドを含み、該プリ・プレグ・フランジは、
第１の表面および前記第１の表面の反対側の第２の表面、
該ウォータ・スポーツ・ボードに取り付け可能となるように構成されているボード取り付け領域、および、
中心軸線の周りに配設されているハウジング結合領域
を有する、インサート本体部と、
該中心軸線に沿って該ハウジング結合領域に隣接して該プリ・プレグ・フランジに結合されるインサート・ハウジングであって、該インサート・ハウジングは、
該中心軸線の周りに配設され、該プリ・プレグ・フランジの該第２の表面から離れるように延在している周囲壁部、および
該周囲壁部に連結されている端壁部であって、該周囲壁部は、該端壁部と該プリ・プレグ・フランジの該第２の表面との間に配設されており、該端壁部は、該中心軸線に対して概して直交して延在しており、該周囲壁部および端壁部は、キャビティーを集合的に画定する、端壁部を有する、インサート・ハウジングと、からなり、
該プリ・プレグ・フランジの該ボード取り付け領域は、該キャビティーに対して半径方向外向きに延在している、ボード・インサート。
【請求項２】
前記ハウジング結合領域は、前記中心軸線の周りに配設されているプリ・プレグ開口部を含み、該プリ・プレグ開口部は、前記インサート・ハウジングの前記周囲壁部の少なくとも一部分を受け入れるようにサイズ決めされている、請求項１に記載のボード・インサート。
【請求項３】
前記プリ・プレグ・フランジは、少なくとも１つのアパーチャを含み、該少なくとも１つのアパーチャは、前記プリ・プレグ開口部から分離され、前記ハウジング結合領域の中に形成されており、前記インサート・ハウジングの一部分は、該少なくとも１つのアパーチャを通って延在している、請求項２に記載のボード・インサート。
【請求項４】
前記プリ・プレグ開口部は、内周部を画定しており、前記少なくとも１つのアパーチャは、該内周部から前記プリ・プレグ・フランジの中へ延在しており、前記プリ・プレグ開口部に連通している、請求項３に記載のボード・インサート。
【請求項５】
前記少なくとも１つのアパーチャは、前記内周部および前記プリ・プレグ開口部から間隔を置いて配置されている、請求項４に記載のボード・インサート。
【請求項６】
前記ハウジング結合領域は、前記ボード取り付け領域に対して折り畳まれ、前記周囲壁部は、前記プリ・プレグ・フランジの前記第１の表面または第２の表面の一部分に沿って延在している、請求項１に記載のボード・インサート。
【請求項７】
前記複数の構造的ストランドは、前記射出成形材料よりも大きい少なくとも１つの構造的特性のものであり、前記少なくとも１つの構造的特性は、靭性、引張強度、密度、弾性係数、およびヤング率からなる群から選択される、請求項１に記載のボード・インサート。
【請求項８】
前記プリ・プレグ・フランジの前記第１の表面の大部分は、前記射出成形材料によってカバーされていない、請求項１に記載のボード・インサート。
【請求項９】
前記プリ・プレグ・フランジの前記第２の表面の大部分は、前記射出成形材料によってカバーされていない、請求項１に記載のボード・インサート。
【請求項１０】
前記ボード・インサートは、リップ部をさらに含み、該リップ部は、前記周囲壁部に連結されており、また、前記中心軸線の周りに延在し、前記キャビティーに連通するリップ部開口部を画定しており、該リップ部は、前記周囲壁部から離れるように延在し、前記第１の表面は、該リップ部と前記端壁部との間に配設されており、該リップ部は、遠位端部部分を画定しており、該遠位端部部分は、該リップ部開口部の周りに配設されており、前記第１の表面から間隔を置いて配置されている、請求項１に記載のボード・インサート。
【請求項１１】
前記インサート・ハウジングの少なくとも一部分は、前記射出成形材料から形成されている、請求項１に記載のボード・インサート。
【請求項１２】
前記プリ・プレグ・フランジは、前記キャビティーから半径方向外向きに延在している、請求項１に記載のボード・インサート。
【請求項１３】
ウォータ・スポーツ・ボードとともに使用するために構成されているボード・インサートを構築する方法であって、該方法は、
プリ・プレグ・シートから形成されているプリ・プレグ・フランジを提供する工程であって、該プリ・プレグ・シートは、樹脂材料によって結合されている複数の構造的ストランドを含み、該プリ・プレグ・フランジは、
第１の表面および前記第１の表面の反対側の第２の表面、
該ウォータ・スポーツ・ボードに取り付け可能となるように構成されている外側周囲領域、および、
該外側周囲領域の半径方向内向きにあり、中心軸線の周りに配設されている、内側結合領域を有する、工程と、
該内側結合領域の中にプリ・プレグ開口部を形成する工程であって、該プリ・プレグ開口部は、該中心軸線の周りに配設されている、工程と、
該プリ・プレグ・フランジをモールド・キャビティーの中に設置する工程と、
該プリ・プレグ開口部の中にインサート・ハウジングを少なくとも部分的に形成するために、ポリマー材料を該モールド・キャビティーの中へ注入する工程であって、該インサート・ハウジングは、該中心軸線に沿って該内側結合領域に隣接して該プリ・プレグ・フランジを通って延在しており、該インサート・ハウジングは、該プリ・プレグ・フランジの該内側結合領域に結合され、該プリ・プレグ・フランジ該外側周囲領域は、該インサート・ハウジングから半径方向外向きに延在しており、該インサート・ハウジングは、
該中心軸線の周りに配設され、該プリ・プレグ・フランジの該第２の表面から離れるように延在している周囲壁部、および
該周囲壁部に連結されている端壁部であって、該周囲壁部は、該端壁部と該プリ・プレグ・フランジの該第２の表面との間に配設されており、該端壁部は、該中心軸線に対して概して直交して延在しており、該周囲壁部および端壁部は、キャビティーを集合的に画定する、端壁部を有する、工程と、
リップ部を形成する工程であって、該リップ部は、該周囲壁部に連結されており、また、該中心軸線の周りに延在し、該キャビティーに連通するリップ部開口部を画定しており、該リップ部は、該周囲壁部から離れるように延在し、該第１の表面は、該リップ部と該周囲壁部との間に配設されており、該リップ部は、遠位端部部分を画定しており、該遠位端部部分は、該リップ部開口部の周りに配設されており、該第１の表面から間隔を置いて配置されている、工程と、からなる、方法。
【請求項１４】
前記方法は、
前記内側結合領域の中に少なくとも１つのアパーチャを形成する工程であって、前記インサート・ハウジングの一部分は、前記少なくとも１つのアパーチャを通って延在している、工程をさらに含む、請求項１３に記載の方法。
【請求項１５】
前記少なくとも１つのアパーチャを形成する前記工程は、前記プリ・プレグ開口部に連通することとなるように前記少なくとも１つのアパーチャを形成する工程を含む、請求項１４に記載の方法。
【請求項１６】
前記少なくとも１つのアパーチャを形成する前記工程は、前記プリ・プレグ開口部に対して間隔を置いて配置された関係で前記少なくとも１つのアパーチャを形成する工程を含む、請求項１４に記載の方法。
【請求項１７】
注入する前記工程は、前記少なくとも１つのアパーチャを通して前記ポリマー材料を注入する工程を含む、請求項１４に記載の方法。
【請求項１８】
ウォータ・スポーツ・ボードであって、該ウォータ・スポーツ・ボードは、
コア外側表面と、該コア外側表面からその中に延在する凹部と、を有するコアと、
プリ・プレグ・シートから形成されているプリ・プレグ・フランジであって、該プリ・プレグ・シートは、該凹部の中に配設されており、該コア外側表面と実質的に同一平面になっている一部分を有しており、該プリ・プレグ・シートは、樹脂材料によって結合されている複数の構造的ストランドを含み、該プリ・プレグ・フランジは、
第１の表面および前記第１の表面の反対側の第２の表面、
該コアに取り付け可能となるように構成されている外側周囲領域、および、
該外側周囲領域の半径方向内向きに配設され、中心軸線の周りに配設されている、内側結合領域を有する、プリ・プレグ・フランジと、
該凹部の中へ延在するインサート・ハウジングであって、該インサート・ハウジングは、射出成形材料から少なくとも部分的に形成されており、該中心軸線に沿って該内側結合領域に隣接して該プリ・プレグ・フランジを通って延在しており、該インサート・ハウジングは、該プリ・プレグ・フランジの該内側結合領域に結合されており、該プリ・プレグ・フランジの該外側周囲領域は、該インサート・ハウジングから半径方向外向きに延在しており、該インサート・ハウジングは、
該中心軸線の周りに配設され、該プリ・プレグ・フランジの該第２の表面から離れるように延在している周囲壁部、および
該周囲壁部に連結されている端壁部であって、該周囲壁部は、該端壁部と該プリ・プレグ・フランジの該第２の表面との間に配設されており、該端壁部は、該中心軸線に対して概して直交して延在しており、該周囲壁部および端壁部は、キャビティーを集合的に画定する、端壁部
を有する、インサート・ハウジングと、
リップ部であって、該リップ部は、該周囲壁部に連結されており、また、該中心軸線の周りに延在し、該キャビティーに連通するリップ部開口部を画定しており、該リップ部は、該周囲壁部から離れるように延在し、該第１の表面は、該リップ部と該周囲壁部との間に配設されており、該リップ部は、遠位端部部分を画定しており、該遠位端部部分は、該リップ部開口部の周りに配設されており、該第１の表面から間隔を置いて配置されている、リップ部と、
該コアの上に延在するポリマー・コーティングであって、該ポリマー・コーティングは、該プリ・プレグ・フランジを介して該インサート・ハウジングに結合されている、ポリマー・コーティングと、からなる、ウォータ・スポーツ・ボード。
【請求項１９】
前記ポリマー・コーティングは、ファイバーグラスを含む、請求項１８に記載のサーフボード。
【請求項２０】
前記ポリマー・コーティングは、前記リップ部の前記遠位端部部分と同一平面になっている外部表面を画定している、請求項１８に記載のサーフボード。
【請求項２１】
前記内側結合領域は、前記中心軸線の周りに配設されているプリ・プレグ開口部を含み、該プリ・プレグ開口部は、前記インサート・ハウジングの前記周囲壁部を受け入れるようにサイズ決めされている、請求項１８に記載のサーフボード。
【請求項２２】
前記プリ・プレグ・フランジは、前記内側結合領域の中に形成された少なくとも１つのアパーチャを含み、前記インサート・ハウジングの一部分が、該少なくとも１つのアパーチャを通って延在している、請求項２１に記載のサーフボード。
【請求項２３】
ウォータ・スポーツ・ボードを形成する方法であって、該方法は、
コア外部表面と、該コア外部表面からコアの中へ延在する凹部と、を有するコアを提供する工程と、
インサート・ボックスを提供する工程であって、該インサート・ボックスは、
プリ・プレグ・シートから形成されているプリ・プレグ・フランジであって、該プリ・プレグ・シートは、樹脂材料によって結合されている複数の構造的ストランドを含み、該プリ・プレグ・フランジは、
第１の表面および前記第１の表面の反対側の第２の表面、
該ウォータ・スポーツ・ボードに取り付け可能となるように構成されている外側周囲領域、および、
該外側周囲領域の半径方向内向きに配設され、中心軸線の周りに配設されている、内側結合領域
を有する、プリ・プレグ・フランジ、ならびに、
射出成形材料から少なくとも部分的に形成されているインサート・ハウジングであって、該インサート・ハウジングは、該中心軸線に沿って該内側結合領域に隣接して該プリ・プレグ・フランジを通って延在しており、該インサート・ハウジングは、該プリ・プレグ・フランジの該内側結合領域に結合され、該プリ・プレグ・フランジの該外側周囲領域は、該インサート・ハウジングから半径方向外向きに延在しており、該インサート・ハウジングは、
該中心軸線の周りに配設され、該プリ・プレグ・フランジの該第２の表面から離れるように延在している周囲壁部、および
該周囲壁部に連結されている端壁部であって、該周囲壁部は、該端壁部と該プリ・プレグ・フランジの該第２の表面との間に配設されており、該端壁部は、該中心軸線に対して概して直交して延在しており、該周囲壁部および端壁部は、キャビティーを集合的に画定する、端壁部
を有する、インサート・ハウジング、ならびに、
リップ部であって、該リップ部は、該周囲壁部に連結されており、また、該中心軸線の周りに延在し、該キャビティーに連通するリップ部開口部を画定しており、該リップ部は、該周囲壁部から離れるように延在し、該第１の表面は、該リップ部と該周囲壁部との間に配設されており、該リップ部は、遠位端部部分を画定しており、該遠位端部部分は、該リップ部開口部の周りに配設されており、該第１の表面から間隔を置いて配置されている、リップ部、を含む、工程と、
該インサート・ボックスを該凹部の中に設置する工程であって、該プリ・プレグ・フランジは、該凹部の中に存在している、工程と、
該コア、および、該リップ部開口部の周りの該プリ・プレグ・フランジの該第１の表面の上に、ポリマー・コーティングを適用する工程であって、該ポリマー・コーティングは、該プリ・プレグ・フランジを介してインサート・ハウジングに結合されている、工程と、からなる、方法。
【請求項２４】
前記内側結合領域は、前記中心軸線の周りに配設されているプリ・プレグ開口部を含み、
前記プリ・プレグ開口部は、内周部を画定しており、前記方法は、
前記内側結合領域の中に形成された少なくとも１つのアパーチャを形成する工程であって、前記インサート・ハウジングの一部分が、該少なくとも１つのアパーチャを通って延在している、工程をさらに含む、請求項２３に記載の方法。
【発明の詳細な説明】
【技術分野】
【０００１】
本発明は、ウォータ・スポーツ・ボード、たとえば、サーフボードのためのインサートに関し、より具体的には、ウォータ・スポーツ・ボードの上のインサート・ハウジングと外部ポリマー・コーティングとの間の中間結合構造体としての役割を果たす、半径方向に延在する予備含浸されたシートを有するインサートに関する。
【背景技術】
【０００２】
ほとんどのサーフボード、および、他のウォータ・スポーツ・ボードは、安定性および制御のためにボードに連結されている１つまたは複数のフィンを含む。ボード自身は、頻繁に、コアをカバーおよびシールするファイバーグラスおよび積層用樹脂などのような、積層体を備えるフォーム・コアから形成されている。過去には、フィンは、ボードの表面に直接的に接着され、その後に、フィンに隣接してボードに積層されたファイバーグラス・パッチによって補強されることが多かった。しかし、ボードの表面に直接的にフィンを取り付ける工程は、一般的に、多大な労力を必要とし、時間がかかり、また、フィンとボードとの間に十分な結合を生み出さないことが多かった。
【０００３】
より最近では、フィンがさまざまなフィン・マウント構造を介してボードに取り外し可能に固定されることを可能にするフィン・マウントが開発された。フィン・マウントをボードの中へインストールするために、フィン・マウントは、典型的に、フォーム・コアの中へ位置決めされ、ボードに結合される。フィン・マウントがフォーム・コアの中に設置されると、積層体が、マウントの一部分の上に設置され、フィン・マウントをボードに固定することが可能である。また、フィン・マウントおよび取り外し可能なフィンの使用は、サーフボードの輸送を簡単化した。たとえば、典型的に、フィンがサーフボードから取り外されるときに、３つのサーフボードを、バッグの中に、飛行機の中に、または、車両の後部に積み重ねて置くことが容易になる。
【０００４】
フィン・マウントの開発および使用は、全体的に、フィンをサーフボードに取り付けるための工程を簡単化したが、従来のフィン・マウントは、典型的に、特定の欠点に悩まされている。なかでも注目すべきは、従来のフィン・マウントは、サーフィンの間に経験される応力および荷重の下で落ちることが多い。従来のフィン・マウントに共通して関連する別の欠点は、それらが、比較的に重く、したがって、フィン・マウントが、望ましくないことに、サーフボードの全体重量を増加させるということである。
【発明の概要】
【発明が解決しようとする課題】
【０００５】
したがって、改善された強度重量比を有しており、外部積層体と射出成形されたマウント・ハウジングとの間に強化された結合を提供する、改善されたマウンティング・デバイスに対する当技術分野の要求が存在している。本発明のさまざまな態様は、より詳細に下記に議論されることとなるように、これらの特定の要求に対処する。
【課題を解決するための手段】
【０００６】
ウォータ・スポーツ・ボードのための、フィン・マウントなどのようなインサートが提供され、インサートは、強化された構造的特性を提供するために、中央ハウジングから外向きに延在するプリ・プレグ・フランジを含む。これらのラインに沿って、プリ・プレグ・フランジは、中央インサート・ハウジングと外側表面ポリマーとの間の中間結合構造体としてサイズ決めおよび構成され、それらの間の結合を強化するようになっている。プリ・プレグ・フランジは、従来のインサートと比較したときに、強度重量比をさらに改善する。
【０００７】
１つの実施形態によれば、凹部がその中に形成されているウォータ・スポーツ・ボードとともに使用するためにサイズ決めおよび構成されているボード・インサートが提供される。インサートは、樹脂材料によって結合されている複数の構造的ストランドを含むプリ・プレグ・シートからプリ・プレグ・フランジを含む。プリ・プレグ・フランジは、対向する第１および第２の表面と、ウォータ・スポーツ・ボードに取り付け可能となるように構成されている外側周囲領域と、外側周囲領域の半径方向内向きに配設され、中心軸線の周りに配設されている、内側結合領域と、を含む。インサートは、射出成形材料から形成されているインサート・ハウジングをさらに含む。インサート・ハウジングは、中心軸線に沿って内側結合領域に隣接してプリ・プレグ・フランジに連結されている。インサート・ハウジングは、プリ・プレグ・フランジの内側結合領域に結合され、プリ・プレグ・フランジの外側周囲領域は、インサート・ハウジングから半径方向外向きに延在している。インサート・ハウジングは、周囲壁部を含み、周囲壁部は、中心軸線の周りに配設され、プリ・プレグ・フランジの第２の表面から離れるように延在している。端壁部は、周囲壁部に連結されており、周囲壁部は、端壁部とプリ・プレグ・フランジの第２の側部との間に配設されている。端壁部は、中心軸線に対して概して直交して延在しており、周囲壁部および端壁部は、キャビティーを集合的に画定する。
【０００８】
リップ部は、周囲壁部に連結され得、また、中心軸線の周りに延在し、キャビティーに連通するリップ部開口部を画定することが可能である。リップ部は、周囲壁部から離れるように延在することが可能であり、第１の表面は、リップ部と端壁部との間に配設されている。リップ部は、遠位端部部分を画定することが可能であり、遠位端部部分は、リップ部開口部の周りに配設されており、また、第１の表面から間隔を置いて配置されている。
【０００９】
内側結合領域は、中心軸線の周りに配設されているプリ・プレグ開口部を含むことが可能であり、プリ・プレグ開口部は、インサート・ハウジングの周囲壁部の少なくとも一部分を受け入れるようにサイズ決めされている。プリ・プレグ・フランジは、少なくとも１つのアパーチャを含むことが可能であり、少なくとも１つのアパーチャは、プリ・プレグ開口部から分離され、内側結合領域の中に形成されており、インサート・ハウジングの一部分は、少なくとも１つのアパーチャを通って延在することが可能である。プリ・プレグ開口部は、内周部を画定することが可能である。少なくとも１つのアパーチャは、内周部からプリ・プレグ・フランジの中へ延在することが可能であり、プリ・プレグ開口部に連通していることが可能である。少なくとも１つのアパーチャは、内周部およびプリ・プレグ開口部から間隔を置いて配置され得る。
【００１０】
内側結合領域は、外側周囲領域に対して折り畳まれ得る。周囲壁部は、プリ・プレグ・フランジの第１または第２の表面の一部分に沿って延在することが可能である。
複数の構造的ストランドは、射出成形材料よりも大きい少なくとも１つの構造的特性のものであることが可能である。少なくとも１つの構造的特性は、靭性、引張強度、密度、弾性係数、およびヤング率からなる群から選択され得る。
【００１１】
プリ・プレグ・フランジの第１の表面の大部分が、射出成形材料によってカバーされていないように、ボード・インサートは構成され得る。また、プリ・プレグ・フランジの第２の表面の大部分が、射出成形材料によってカバーされていないように、ボード・インサートは構成され得る。
【００１２】
別の実施形態によれば、ウォータ・スポーツ・ボードとともに使用するために構成されているボード・インサートを構築する方法が提供される。方法は、プリ・プレグ・シートから形成されているプリ・プレグ・フランジを提供する工程を含む。プリ・プレグ・フランジは、ウォータ・スポーツ・ボードに取り付け可能となるように構成されている外側周囲領域と、外側周囲領域の半径方向内向きにあり、中心軸線の周りに配設されている、内側結合領域と、を含む。方法は、内側結合領域の中にプリ・プレグ開口部を形成する工程と、プリ・プレグ・フランジをモールド・キャビティーの中に設置する工程と、をさらに含む。ポリマー材料は、モールド・キャビティーの中へ注入され、プリ・プレグ開口部の中にインサート・ハウジングを形成する。方法は、リップ部を形成する工程であって、リップ部は、周囲壁部に連結されており、また、中心軸線の周りに延在し、キャビティーに連通するリップ部開口部を画定する、工程を追加的に含む。
【００１３】
方法は、内側結合領域の中に少なくとも１つのアパーチャを形成する工程であって、インサート・ハウジングの一部分は、少なくとも１つのアパーチャを通って延在している、工程を追加的に含むことが可能である。少なくとも１つのアパーチャを形成する工程は、プリ・プレグ開口部に連通することとなるように少なくとも１つのアパーチャを形成する工程を含むことが可能である。少なくとも１つのアパーチャを形成する工程は、プリ・プレグ開口部に対して間隔を置いて配置された関係で少なくとも１つのアパーチャを形成する工程を含むことが可能である。注入する工程は、少なくとも１つのアパーチャを通してポリマー材料を注入する工程を含むことが可能である。
【００１４】
別の実施形態によれば、コア外側表面と、コア外側表面からその中に延在する凹部と、を有するコアを含むウォータ・スポーツ・ボードが提供される。ウォータ・スポーツ・ボードは、プリ・プレグ・フランジと、インサート・ハウジングと、リップ部と、を含む、ボード・インサートをさらに含む。ポリマー・コーティングは、コアの上に延在し、ポリマー・コーティングは、プリ・プレグ・フランジを介してインサート・ハウジングに結合されている。
【００１５】
さらなる実施形態によれば、ウォータ・スポーツ・ボードを形成する方法が提供される。方法は、コアと、プリ・プレグ・フランジを有するインサート・ボックスと、を提供する工程を含む。インサートは、コアの中に形成された凹部の中に設置され、ポリマー・コーティングは、コアおよびプリ・プレグ・フランジの上に適用される。プリ・プレグ・フランジは、ポリマー・コーティングとインサート・ボックスとの間の中間結合構造体としての役割を果たす。
【００１６】
本発明は、添付の図面と併せて読むときに、以下の詳細な説明を参照して最良に理解される。
本明細書で開示されているさまざまな実施形態のこれらの特徴および利点、ならびに、他の特徴および利点は、以下の説明および図面に関連してより良好に理解されることとなり、図面において、同様の番号は、全体を通して同様のパーツを表している。
【図面の簡単な説明】
【００１７】
【図１】射出成形されたハウジングと、リップ部と、プリ・プレグ・フランジと、を有するボード・インサートの第１の実施形態の上側斜視図。
【図２】ハウジングおよびリップ部をそれに対して形成する前のプリ・プレグ・フランジの第１の実施形態の上面図。
【図３】ウォータ・スポーツ・ボードのコアの中に形成された凹部の中に設置されているボード・インサートの側部断面図であり、ボード・インサートは、ボードコアの上にポリマー・コーティングを適用する間に、ハウジング開口部の上に延在しているカバーを有することを示す図。
【図４】図３に示されているボード・インサートの側部断面図であり、カバーは除去されており、ポリマー・コーティングは、リップ部と実質的に同一平面になるように仕上げられていることを示す図。
【図５】ハウジングおよびリップ部をそれに対して形成する前のプリ・プレグ・フランジの第２の実施形態の上面図。
【図６】フランジの中央部分がフランジの周囲部分に対して折り畳まれている、図５に示されているプリ・プレグ・フランジの上面図。
【図７】ウォータ・スポーツ・ボードの中にインストールされたボード・インサートの第２の実施形態の側部断面図であり、ボード・インサートは、図５〜図６に示されているプリ・プレグ・フランジを含み、折り畳まれた中央部分が、ハウジングの一部分を形成していることを示す図。
【図８】ハウジングおよびリップ部をそれに対して形成する前のプリ・プレグ・フランジの第３の実施形態の上面図。
【図９】サーフボードの中にインストールされ、図８に示されているプリ・プレグ・フランジを含む、ボード・インサートの第３の実施形態の側部断面図。
【図１０】ハウジングおよびリップ部をそれに対して形成する前のプリ・プレグ・フランジの第４の実施形態の上面図。
【図１１】ハウジングおよびリップ部をそれに対して形成する前のプリ・プレグ・フランジの第５の実施形態の上面図。
【図１２】プリ・プレグ・フランジを有するリーシュ・プラグの上側斜視図。
【図１３】図１２に示されているリーシュ・プラグの中に含まれているプリ・プレグ・フランジの上面図。
【図１４】リップ部の一部分の切り欠きを伴う、図１２に示されているリーシュ・プラグの上面図。
【図１５】リーシュ・プラグの中へ組み込まれ得るプリ・プレグ・フランジのさまざまな実施形態の上面図。
【図１６】リーシュ・プラグの中へ組み込まれ得るプリ・プレグ・フランジのさまざまな実施形態の上面図。
【図１７】プリ・プレグ・フランジと、成形されたリップ部と、端壁部の中に配設されているプリ・プレグ・シートを含むハウジングと、を有する、インストールされたボード・インサートの実施形態の側部断面図。
【図１７ａ】プリ・プレグ・フランジと、成形されたリップ部と、プリ・プレグ・シートを含むハウジングと、を有する、インストールされたボード・インサートの実施形態の側部断面図であり、プリ・プレグ・シートは、端壁部の中に配設されており、また、ハウジングの周囲壁部の中へ延在する折り畳まれた端部部分を有することを示す図。
【図１７ｂ】プリ・プレグ・シートを有する、インストールされたボード・インサートの実施形態の側部断面図であり、プリ・プレグ・シートは、フランジを形成しており、また、ハウジングの周囲壁部および端壁部の中に延在していることを示す図。
【図１８】フランジおよび周囲壁部の一部分を形成するプリ・プレグ・シートを有する、インストールされたボード・インサートの実施形態の側部断面図。
【図１９】図１８に示されているボード・インサートの中に使用されるプリ・プレグ・シートの上面図。
【図２０】フランジおよびインサート周囲壁部の一部分を画定する第１のプリ・プレグ・シートと、インサートの一部分周囲壁部およびインサート端壁部を画定する第２のプリ・プレグ・シートと、を有する、インストールされたボード・インサートの実施形態の側部断面図。
【図２１】プリ・プレグ・フランジと、プリ・プレグ・リップ部と、成形されたハウジングと、を有する、インストールされたボード・インサートの実施形態の側部断面図。
【図２１ａ】フランジおよびリップ部の一部分を形成するプリ・プレグ・シートを含む、インストールされたボード・インサートの実施形態の側部断面図。
【図２２】プリ・プレグ・リップ部がプリ・プレグ・フランジおよびハウジングから分解されている、図２１に示されているボード・インサートの上側斜視図。
【図２３】ハウジングの離散した部分から半径方向外向きに延在する別々のプリ・プレグ・フランジ・セグメントを有するボード・インサートの実施形態の上側斜視図。
【図２４】インサート・ハウジングの端壁部に隣接して配設されているプリ・プレグ・フランジを有するボード・インサートの別の実施形態の側部断面図。
【発明を実施するための形態】
【００１８】
共通の参照番号は、同様のエレメントを示すために、図面および詳細な説明の全体を通して使用されている。
下記に述べられている詳細な説明は、本発明の現在の好適な実施形態の説明として意図されており、また、本発明が構築または利用され得る形態だけを表すことは意図されていない。本説明は、本発明を構築および動作させるための工程の機能およびシーケンスを述べている。しかし、同じまたは均等の機能およびシーケンスが、異なる実施形態によって達成され得るということ、ならびに、それらは本発明の範囲の中に包含されることが意図されているということも理解されるべきである。
【００１９】
ここで図面を参照すると、図面において、示しているものは、単に、本発明の好適な実施形態を図示する目的のためのものであり、それを限定する目的のためのものではなく、図１は、ウォータ・スポーツ・ボードのためのボード・インサート１０を示しており、インサート１０は、具体的には、フィン・ボックス、リーシュ・プラグ、およびハンド・グリップなどのような、従来のボード・インサートと比較したときに、強化された結合特質、および、改善された強度重量比を有するように構成および適合されている。ボード・インサート１０の強化された特質は、中央ハウジング１４から半径方向外向きに延在するフランジ１２に起因しており、フランジ１２は、プリ・プレグ・シートから形成されている。より詳細に下記に説明されることとなるように、さまざまな実施形態によれば、プリ・プレグ・フランジ１２は、ウォータ・スポーツ・ボードの外側ファイバーグラス／ポリマー層と内部フォーム・コアとの間に位置付けされており、プリ・プレグ・フランジ１２が、ウォータ・スポーツ・ボードの外側層とインサート・ハウジング１４との間に中間結合構造体を提供するようになっている。
【００２０】
本明細書で使用されているように、「ウォータ・スポーツ・ボード」という用語は、それに限定されないが、サーフボード、スタンドアップ・パドル・ボード、ウィンドサーフィン・ボード、ブギー・ボード、パドル・ボード、ウェイク・ボード、カイト・サーフィン・ボード、または、インサートがその中にインストールされている他のレクリエーション機器を含む、デバイスの広い分類を広く表している。そのうえ、本明細書で使用されているような「ボード・インサート」という用語は、フィン・ボックス、リーシュ・プラグ、ハンドル・マウント、ＧＰＳマウント、アクセサリー・マウント、ハンド・グリップ、または、ウォータ・スポーツ・ボードの中にインストールされ得る他のインサートを広く表している。
【００２１】
ここで具体的には図１〜図４を参照すると、ボード・インサート１０の１つの実施形態が示されており、それは、全体的に、インサート本体部１５を含み、インサート本体部１５は、中央ハウジング１４と、ハウジング１４から半径方向外向きに延在しているプリ・プレグ・フランジ／取り付けエレメント１２と、プリ・プレグ・フランジ１２およびハウジング１４に連結されているリップ部１６と、を有している。プリ・プレグ・フランジ１２は、プリ・プレグ・シートから形成されている。本明細書で使用されているように、「プリ・プレグ・シート」という用語は、樹脂材料によって結合された構造的ストランドの予備含浸されたシートを表している。構造的ストランドは、炭素繊維ストランド、Ｋｅｖｌａｒ（登録商標）ストランド、または当技術分野で公知の他の材料から形成されたストランドを含むことが可能である。構造的ストランドは、好ましくは、高い引張強度および靭性を示す。所与のプリ・プレグ・シートの中に位置付けされている構造的ストランドは、織物構成で配置され、または代替的に、不織構成で配置され得る。
【００２２】
プリ・プレグ・フランジ１２は、第１の表面１８と、反対側の第２の表面２０と、内側結合領域／ハウジング結合領域２２（図２を参照）と、外側周囲領域／ボード取り付け領域２４と、を含む。１つの実施形態によれば、内側結合領域２２は、中心軸線２６（図３を参照）の周りに配設されており、また、中心軸線２６は、第１および第２の表面１８、２０に対して概して垂直になっている。図１〜図４に示されている実施形態では、内側結合領域２２は、中心軸線２６の周りに配設されているプリ・プレグ開口部２８と、複数のアパーチャ３０と、を画定しており、複数のアパーチャ３０は、プリ・プレグ開口部２８から間隔を置いて配置され、また、プリ・プレグ開口部２８の周りに配置されている。
【００２３】
ハウジング１４は、内側結合領域２２に連結されており、また、ハウジング１４は、プリ・プレグ・フランジ１２の外側周囲領域２４がハウジング１４から半径方向外向きに延在するように、サイズ決めおよび構成されている。図１に示されているように、プリ・プレグ・フランジ１２は、ハウジング１４の全体の周りに延在している。しかし、他の実施形態は、図２２に示されている実施形態などのような、ハウジングの周りに部分的にだけ延在するフランジを含むことが可能であるということが企図され、それは、より詳細に下記に議論されることとなる。
【００２４】
ハウジング１４は、周囲壁部３２および端壁部３４を含み、それらは、集合的に、ハウジング・キャビティー３６を画定している。周囲壁部３２は、ハウジング・キャビティー３６の方を向く内部表面３８と、ハウジング・キャビティー３６から離れる方を向く反対側の外部表面４０と、を含む。周囲壁部３２は、中心軸線２６の周りに配設されており、また、中心軸線２６に沿う方向に、プリ・プレグ・フランジ１２の第２の表面２０から離れるように延在している。
【００２５】
プリ・プレグ・フランジ１２は、ハウジング１４の内部表面３８およびキャビティー３６に対して半径方向外向きに延在している。図３に示されているように、フランジ１２の最も内側の部分は、ハウジング１４の内部表面３８から半径方向外向きに間隔を置いて配置されているが、他の実施形態では、フランジ１２の最も内側の部分は、ハウジング１４の内部表面３８と同一平面になり得るということが企図される。そのうえ、図１〜図４に示されているように、フランジ１２の最も半径方向外向きの部分は、ハウジング１４の最も半径方向外向きの部分を越えて延在している。しかし、他の実施形態では、ハウジング１４は、フランジ１２の最も半径方向外向きの部分まで延在し得るということが企図される。たとえば、周囲壁部３２の外部表面４０は、フランジ１２の外側周囲部に実質的に等しい外周部を画定することが可能である。この点において、フランジ１２の第１の表面１８だけが、外側ポリマー・コーティングとの結合のために露出され得る。
【００２６】
端壁部３４は、周囲壁部３２に連結されており、また、プリ・プレグ・フランジ１２の第２の表面２０から間隔を置いて配置されている。１つの実施形態によれば、端壁部３４は、中心軸線２６に対して概して直交に延在し、ハウジング１４の閉じた端部部分を画定するが、端壁部３４は、本発明の精神および範囲から逸脱することなく、非直交の構成で配置され得る。また、端壁部３４は、キャビティー３６を完全に横切って延在していなくてもよいということも企図される。この点において、端壁部３４は、本発明の精神および範囲から逸脱することなく、その中に形成されている１つまたは複数の開口部を含むことが可能である。
【００２７】
リップ部１６は、周囲壁部３２に連結されており、また、中心軸線２６の周りに延在し、ハウジング・キャビティー３６と連通するリップ部開口部４２を画定している。リップ部１６は、周囲壁部３２から離れるように延在し、上側リップ部表面４４を画定するように終端している（図４を参照）。上側リップ部表面４４、ならびに、周囲壁部３２の外部表面４０、および、端壁部３４は、プリ・プレグ・フランジ１２の対向する側に配設されている。この点において、リップ部１６は、一般的に、プリ・プレグ・フランジ１２の第１の表面１８から離れるように第１の方向に延在し、一方、周囲壁部３２は、一般的に、反対側の第２の方向に第２の表面２０から離れるように延在している。
【００２８】
リップ部側壁部４５は、フランジ１２の第１の表面１８と上側リップ部表面４４との間に延在している。リップ部側壁部４５は、好ましくは、円錐形状のまたは角度付きの構成を画定しており、フランジ１２の近位に配設されているリップ部側壁部４５の一部分は、上側リップ部表面４４の近位に配設されているリップ部側壁部４５の一部分よりも大きい周囲部を有している。リップ部側壁部４５の円錐形状のまたは角度付きの構成は、リップ部１６と外部ポリマー・コーティングとの間の結合を強化することが可能である。
【００２９】
図３および図４に示されている例示的な実施形態では、リップ部１６およびハウジング１４は、成形材料によって一体的に形成されており、成形材料は、プリ・プレグ開口部２８およびアパーチャ３０を通って延在している。
【００３０】
１つの実施形態によれば、インサート１０は、射出成形工程を通して製造されており、ハウジング１４およびリップ部１６は、プリ・プレグ・フランジ１２に成形されている。これらのラインに沿って、射出成形工程の前に、プリ・プレグ・シートは、フランジ１２の所望の外側周囲部形状を画定するように形成されている。そのうえ、プリ・プレグ開口部２８およびアパーチャ３０がスタンプされ、または、そうでなければ、シートの中に形成されている。その後に、フランジ１２は、ハウジング１４およびリップ部１６の形状に対応する成形キャビティーを有するモールドの中に設置される。次いで、材料が、モールド・キャビティーの中へ注入され、ハウジング１４およびリップ部１６を形成し、ハウジング１４およびリップ部１６は、プリ・プレグ・フランジ１２に付着する。
【００３１】
１つの実施形態によれば、プリ・プレグ・フランジ１２は、射出成形工程の間に、射出成形されたハウジング１４およびリップ部１６に結合されることになる。この点において、プリ・プレグ・フランジ１２の中の樹脂材料は、ハウジング１４およびリップ部１６を形成するために使用される注入された材料に溶融および結合することが可能である。また、他の実施形態では、ハウジング１４およびリップ部１６の形成、ならびに、それへのプリ・プレグ・フランジ１２の結合は、別々の工程であることが可能であり、ハウジング１４およびリップ部１６を形成した後に、プリ・プレグ・フランジ１２が、ハウジング１４およびリップ部１６に取り付けられまたは結合されるということも企図される。フランジ１２が、すでに形成されたハウジング１４およびリップ部１６に結合されるときに、そのような結合は、プリ・プレグ・フランジ１２の中の樹脂を溶融することによって、ならびに、樹脂がハウジング１４および／またはリップ部１６に付着することを可能にすることによって、実現され得る。また、プリ・プレグ・フランジ１２は、当技術分野で公知の接着剤または他の結合材料を通して、すでに形成されたハウジング１４および／またはリップ部１６に結合され得るということも企図される。
【００３２】
先述のものは、射出成形されたハウジング１４を含むものとしてインサート１０を説明しているが、インサート本体部１５の任意の部分は、射出成形材料から少なくとも部分的に形成され得るということが理解される。これらのラインに沿って、他の実施形態は、プリ・プレグ材料から形成されるハウジング１４を含むことが可能であり、一方、フランジ１２の一部分は、射出成形材料から形成されている。
【００３３】
ボード・インサート１０が構築された後に、それは、ウォータ・スポーツ・ボードのコア４８の中に形成された凹部４６の中に挿入され得る。図３および図４に示されているように、凹部４６は、浅い部分５０および深い部分５２を有する段付きの凹部であり、浅い部分５０および深い部分５２は、インサート１０の断面構成、具体的には、フランジ１２およびハウジング１４に対応している。また、凹部４６に加えて、コア４８は、外部表面５４も画定している。ボード・インサート１０は、凹部４６の中に設置され、プリ・プレグ・フランジ１２が、凹部４６の浅い部分５０の中に存在し、一方、ハウジング１４が、凹部４６の深い部分５２の中に存在するようになっている。好ましくは、インサート１０が凹部４６の中に適正にインストールされるときに、プリ・プレグ・フランジ１２の第１の表面１８がコア４８の外部表面５４と実質的に同一平面になっているかまたは同一平面上にあるように、凹部４６およびインサート１０は構成および適合されている。
【００３４】
先述のものは、段付きの凹部の中にインサート１０をインストールすることを説明しているが、インサート１０は、段付きの構成を画定していない凹部の中に使用され得るということも理解される。この点において、補助的な構造体が、コア４８とインサート１０との間に挿入され、凹部４６の中の任意のギャップを充填することが可能である。
【００３５】
インサート１０が凹部４６の中にインストールされると、ポリマー・コーティング５６は、コア４８およびインサート１０にわたって広げられ得る。１つの実施形態によれば、ポリマー・コーティング５６は、ファイバーグラス・ベースのコーティングであるが、当技術分野で公知の他のポリマー・コーティングも使用され得る。１ピースのテープ５８が、リップ部開口部４２の上に設置され、ポリマー・コーティング５６がハウジング・キャビティー３６の中へ流入することを防止することが可能である。ポリマー・コーティング５６が適用された後に、ポリマー・コーティング５６は、ポリマー・コーティング５６の露出された表面６０が、上側リップ部表面４４と実質的に同一平面になるように、仕上げられまたは紙やすりで磨かれ得る。そのうえ、テープ５８は、リップ部開口部４２およびハウジング・キャビティー３６を塞がないように除去され得る。
【００３６】
先述のものは、「組み立てられた」インサート１０（たとえば、ハウジング１４およびプリ・プレグ・フランジ１２を含む）をウォータ・スポーツ・ボードの中へインストールする方法を説明しているが、プリ・プレグ・フランジ１２は、外側コーティングをウォータ・スポーツ・ボードに適用する間に、ハウジング１４に結合され得るということが追加的に企図される。この点において、ハウジング１４は、初期には、プリ・プレグ・フランジ１２から独立して形成され得る。これらのラインに沿って、ハウジング１４は、初期には、フランジを含まなくてもよく、または代替的に、ハウジング１４は、射出成形材料から形成された予備的なフランジを含むことが可能である。ハウジング１４は、形成された凹部４６の中に設置され得、ハウジング１４に対応する中央開口部を有する乾燥した繊維シートが、ハウジング１４の周りに設置され得る。樹脂および結合触媒の混合物、たとえば、コーティング５６が、コア、繊維シート、およびハウジング１４の上に積層され得、また、混合物が硬化するときに、繊維シートが、ハウジング１４に取り付けられ、フランジ１２を画定する。
【００３７】
ここで具体的には図５〜図７を参照すると、プリ・プレグ・フランジ１１２、ハウジング１１４、およびリップ部１１６を有するインサート１１０の別の実施形態が示されている。プリ・プレグ・フランジ１１２は、第１の表面１１８と、反対側の第２の表面１２０と、内側結合領域１２２と、外側周囲領域１２４と、を含む。内側結合領域１２２は、複数のフラップ１２１、１２３、１２５、１２７を含み、複数のフラップ１２１、１２３、１２５、１２７は、ハウジング１１４の一部分を形成するように、外側周囲領域１２４に対して折り畳み可能である。とりわけ、プリ・プレグ・フランジ１１２は、対向するエンド・フラップ１２１、１２３の対、および、対向する長手方向のサイド・フラップ１２５、１２７の対を含む。
【００３８】
フラップ１２１、１２３、１２５、１２７は、折り畳まれていない構成から折り畳まれた構成へ折り畳まれ得、折り畳まれていない構成では、フラップ１２１、１２３、１２５、１２７が、互いにおよび外側周囲領域１２４と概して同一平面上になっており（図５を参照）、折り畳まれた構成では、フラップ１２１、１２３、１２５、１２７は、互いにおよび外側周囲領域１２４との同一平面上のアライメントからずれて移動させられている（図６および図７を参照）。１つの実施形態では、フラップ１２１、１２３、１２５、１２７が折り畳まれた構成になっているときには、フラップ１２１、１２３、１２５、１２７は、外側周囲領域１２４に対して概して垂直である。フランジ１１２は、その中に形成されたセレーションまたはスコア・ラインを含み、折り畳まれていない構成から折り畳まれた構成へのフラップ１２１、１２３、１２５、１２７の折り畳みを促進させることが可能である。フラップ１２１、１２３、１２５、１２７が折り畳まれた構成へと移行させられると、プリ・プレグ開口部１２８が、フランジ１１２の中に形成される。
【００３９】
フラップ１２１、１２３、１２５、１２７は、図５に示されているカット・ラインをカットまたはスタンプすることによって形成され得る。とりわけ、それぞれのエンド・フラップ１２１、１２３は、直線状のエンド・カット１３１の対によって、隣接するサイド・フラップ１２５、１２７から分離されており、２つのサイド・フラップ１２５、１２７は、長手方向の直線状のセンター・カット１３３によって分離されている。図５〜図７に示されているように、それぞれのエンド・カット１３１は、センター・カット１３３の終端部から、それぞれのエンド・フラップ１２１、１２５の周囲角部に向かって延在しており、それは、エンド・フラップ１２１、１２５が概して三角形の構成を画定することを結果として生じさせる。そのうえ、エンド・カット１３１および直線状のセンター・カット１３３は、概して台形の構成を有するサイド・フラップ１２５、１２７を結果として生じさせる。しかし、当業者は、フラップが他のサイズおよび形状を画定するように構成され得るということを認識することとなる。
【００４０】
ハウジング１１４およびリップ部１１６は、射出成形工程を介して形成され、フランジ１１２は、射出成形工程の間にモールドの中に設置される。とりわけ、フラップ１２１、１２３、１２５、１２７は、折り畳まれた構成で設置されており、ハウジング１１４が形成されるときに、フラップ１２１、１２３、１２５、１２７がハウジング１１４の射出成形部分に結合され、したがって、フラップ１２１、１２３、１２５、１２７がハウジング１１４の一部分を形成するようになっている。図７に示されている特定の実施形態では、フラップ１２１、１２３、１２５、１２７の外側表面は、周囲壁部１３２の射出成形部分の外部表面と実質的に同一平面になっている。しかし、フラップ１２１、１２３、１２５、１２７は、周囲壁部１３２の射出成形部分の中に完全に埋め込まれ得、または代替的に、フラップ１２１、１２３、１２５、１２７は、周囲壁部の射出成形部分の内部表面と同一平面になっていることが可能であるということが理解される。
【００４１】
形成されると、インサート１１０は、上記に議論されているインサート１０に関連して上記に議論されているものと同じ様式で、ウォータ・スポーツ・ボードの中にインストールされ得る。
【００４２】
ここで図８および図９を参照すると、プリ・プレグ・フランジ２１２と、ハウジング２１４と、リップ部２１６と、を有するインサート２１０の別の実施形態が示されており、プリ・プレグ・フランジ２１２は、上記に議論されているフランジ１１２とはわずかに異なっている。とりわけ、フランジ２１２は、第１の表面２１８と、反対側の第２の表面２２０と、内側結合領域２２２と、外側周囲領域２２４と、を含む。内側結合領域２２２は、複数のフラップ２２１、２２３、２２５、２２７を含み、複数のフラップ２２１、２２３、２２５、２２７は、外側周囲領域２２４に対して折り畳み可能である。とりわけ、プリ・プレグ・フランジ２１２は、対向するエンド・フラップ２２１、２２３の対、および、対向する長手方向のサイド・フラップ２２５、２２７の対を含む。フランジ２１２は、複数のアパーチャ２３０ａ、２３０ｂを追加的に含み、複数のアパーチャ２３０ａ、２３０ｂは、第１の表面２１８と第２の表面２２０との間に延在しており、また、内側結合領域２２２の中に形成されている。アパーチャ２３０ａは、フラップ２２１、２２３、２２５、２２７の上に形成されており、一方、アパーチャ２３０ｂは、フラップ２２１、２２３、２２５、２２７の半径方向外向きに形成されている。
【００４３】
インサート２１０は、射出成形工程を介して形成され、プリ・プレグ・フランジ２１２は、ハウジング２１４およびリップ部２１６を形成するために使用されるモールドの中に設置される。ハウジング２１４およびリップ部２１６を形成するために使用される射出成形材料は、フラップ２２１、２２３、２２５、２２７の上に形成されたアパーチャ２３０ａを通って流れ、プリ・プレグ・フランジ２１２と射出成形されたハウジング２１４との間の強化された結合を提供することが可能である。また、ハウジング２１４の厚さに応じて、射出成形材料は、フラップ２２１、２２３、２２５、２２７の半径方向外向きに配設されているアパーチャ２３０ｂを通って流れることが可能である。代替例として、アパーチャ２３０ｂは、インサート２１０がウォータ・スポーツ・ボードの上にインストールされるときに、ポリマー材料がそれを通って流れることを可能にするために使用され得る。この点において、アパーチャ２３０ｂは、外側ポリマー・コーティング２５６とインサート２１０との間の結合を強化することが可能である。
【００４４】
ここで図１０を参照すると、ボード・インサートを構築するために使用され得るプリ・プレグ・フランジ３１２の別の実施形態が示されている。プリ・プレグ・フランジ３１２は、上記に説明されて図５〜図７に示されているプリ・プレグ・フランジ１１２と非常に類似しており、主要な差異は、フランジ３１２が非直線状の正弦関数の形状のカットを含むということである。とりわけ、フランジ３１２は、非直線状の長手方向のセンター・カット３３３と、センター・カット３３３の終端部から延在する複数の非直線状のエンド・カット３３１と、を含む。カット３３１、３３３は、フラップ３２１、３２３、３２５、３２７を画定しており、フラップ３２１、３２３、３２５、３２７は、上記に説明されているように、インサート・ハウジングの一部分に沿って延在するように折り畳み可能である。
【００４５】
ここで図１１を参照すると、ボード・インサートとともに実装され得るプリ・プレグ・フランジ４１２のさらに別の実施形態が示されている。プリ・プレグ・フランジ４１２は、上記に説明されて図８〜図９に示されているプリ・プレグ・フランジ２１２と非常に類似している。フランジ４１２とフランジ２１２との間の主要な差異は、フランジ４１２が非直線状の正弦関数の形状のカットを含むということである。とりわけ、フランジ４１２は、非直線状のセンター・カット４３３と、センター・カット４３３の終端部から延在する複数の非直線状のエンド・カット４３１と、を含む。カット４３１、４３３は、フラップ４２１、４２３、４２５、４２７を画定しており、フラップ４２１、４２３、４２５、４２７は、上記に説明されているように、インサート・ハウジングの一部分に沿って延在するように折り畳み可能である。また、フランジ４１２は、上記に議論されている開口部２３０ａ、２３０ｂと同様の複数の開口部４３０ａ、４３０ｂを含む。
【００４６】
ここで図１２〜図１４を参照すると、リーシュ・プラグとして具現化されているボード・インサート５１０の別の実施形態が示されている。リーシュ・プラグ５１０は、プリ・プレグ・フランジ５１２と、ハウジング５１４と、およびリップ部５１６と、を含む。リーシュ・プラグ５１０は、リーシュ取り付けバー５１５をさらに含み、リーシュ取り付けバー５１５は、周囲壁部５３２の対向する側部の間でハウジング・キャビティー５３６を横切って延在している。
【００４７】
プリ・プレグ・フランジ５１２は、第１の表面５１８と、対向する第２の表面５２０、外側周囲領域５２４と、プリ・プレグ開口部５２８を有する内側結合領域５２２と、を含む。内側結合領域５２２は、プリ・プレグ開口部５２８の周りに内周部５２５を画定しており、内周部５２５は、一連の交互になっているフィンガー５２７およびギャップ５２９を画定する非直線状のセグメントを含む。図１３に示されている実施形態では、交互になっているフィンガー５２７およびギャップ５２９は、内周部５２５の長手方向側部に沿って延在しているが、内周部５２５の対向する端部は、実質的に直線状になっている。しかし、端部は、非直線状であってもよく、一方、側部は、実質的に直線状であってもよいということが理解される。
【００４８】
ハウジング５１４およびリップ部５１６は、射出成形を介して形成され、ハウジング５１４およびリップ部５１６がフランジ５１２に係合するように形成されるように、プリ・プレグ・フランジ５１２がモールドの中に設置される。とりわけ、ハウジング５１４は、ハウジング５１４の周囲壁部５３２の中へ延在するフィンガー５２７とともに形成されており、注入される材料は、ギャップ５２９の中に配設される。図１４は、リップ部５１６の一部分が除去されている上面図であり、フィンガー５２７と射出成形材料との間の境界部を図示しており、すなわち、フィンガー５２７は、リップ部５１６の一部分の下に、周囲壁部５３２の一部分を通って延在しており、ギャップ５２９は、射出成形材料で充填されている。
【００４９】
ここで図１５を参照すると、リーシュ・プラグまたは他のボード・インサートとともに使用するために構成されているプリ・プレグ・フランジ６１２の実施形態が示されている。プリ・プレグ・フランジ６１２は、上記に議論されて図２に示されているフランジ１２と同様である。とりわけ、プリ・プレグ・フランジ６１２は、周囲領域６２４と、プリ・プレグ開口部６２８を有する内側結合領域６２２と、プリ・プレグ開口部６２８の周りに配設されている複数のアパーチャ６３０と、を含む。プリ・プレグ・フランジ６１２とプリ・プレグ・フランジ１２との間の主要な差異は、フランジのサイズに関連しており、フランジ１２は、より細長くなっている。
【００５０】
図１６は、上記に議論されて図５〜図７に示されているプリ・プレグ・フランジ１１２と同様のプリ・プレグ・フランジ７１２の別の実施形態を示している。とりわけ、プリ・プレグ・フランジ７１２は、第１の表面７１８と、反対側の第２の表面と、内側結合領域７２２と、外側周囲領域７２４と、を含む。内側結合領域７２２は、複数のフラップ７２１、７２３、７２５、７２７を含み、複数のフラップ７２１、７２３、７２５、７２７は、外側周囲領域７２４に対して折り畳み可能である。とりわけ、プリ・プレグ・フランジ７１２は、対向するエンド・フラップ７２１、７２３の対、および、対向する長手方向のサイド・フラップ７２５、７２７の対を含む。フラップ７２１、７２３、７２５、７２７は、エンド・カット７３１および長手方向のセンター・カット７３３によって分離されている。プリ・プレグ・フランジ７１２とプリ・プレグ・フランジ１１２との間の主要な差異は、フランジのサイズに関連しており、フランジ１１２は、より細長くなっている。
【００５１】
ここで図１７を参照すると、ボード・インサート８１０が、プリ・プレグ・フランジ８１２と、ハウジング・キャビティー８３６を有するハウジング８１４と、リップ部８１６と、を有するように示されている。ハウジング８１４は、射出成形された周囲壁部８３２と、プリ・プレグ材料８３５から少なくとも部分的に形成されている端壁部８３４と、を含む。端壁部８３４に使用されているプリ・プレグ材料８３５は、フランジ８１２を形成するために使用されるものと同じプリ・プレグ材料であってもよく、または、異なるプリ・プレグ材料であってもよい。プリ・プレグ・フランジ８１２は、上記に議論されているフランジ１２、５１２、６１２と同様に構成され得る。
【００５２】
ボード・インサート８１０が形成されるときに、プリ・プレグ・フランジ８１２およびプリ・プレグ材料８３５が、モールドの中へ挿入され、射出成形材料が、その中に注入され、周囲壁部８３２と、端壁部８３４の射出成形部分８３７と、リップ部８１６と、を形成する。プリ・プレグ材料８３５は、端壁部８３４の外部表面、または、端壁部８３４の内部表面に沿って露出される表面を有し得るということが理解される。代替的に、プリ・プレグ材料８３５は、端壁部８３４の中に完全にカプセル化され得る。インサート８１０が形成されると、インサート８１０は、上記に説明されているようにウォータ・スポーツ・ボードの中へインストールされ得る。
【００５３】
図１７ａは、図１７に示されている実施形態の変形例を示しており、主要な差異は、インサート８１０ａが、中央端壁部部分８３９と周囲壁部部分８４１と、を有するプリ・プレグ材料８３５ａを含み、周囲壁部部分８４１が、中央部分８３９に対して折り畳まれており、また、中央部分８３９に対して外向きに位置決めされているということである。周囲壁部部分８４１は、フランジ８１２に向かって延在し、周囲壁部８３２の一部分を形成している。この点において、周囲壁部部分８４１は、周囲壁部８３２の中に完全にカプセル化され得、または、周囲壁部８３２の外側部分もしくは内側部分に沿って露出され得る。
【００５４】
図１７ｂは、さらに別の実施形態であり、端壁部８３４および周囲壁部８３２の一部分は、プリ・プレグ材料を含む。図１７ｂに示されている実施形態では、インサート８１０ｂは、フランジ８１２に沿って、周囲壁部８３２を通って、および、端壁部８３４に沿って延在する、プリ・プレグ材料の単一のシート８５０を含む。この点において、シート８５０は、フランジ部分８５２と、周囲壁部部分８５４と、端壁部部分８５６と、を含み、フランジ部分８５２、周囲壁部部分８５４、および端壁部部分８５６は、一体の構造体を形成している。シート８５０は、１つまたは複数のアパーチャ８５８を含むことが可能であり、射出成形材料が成形工程の間にシート８５０を通って流れることを可能にする。
【００５５】
図１８および図１９は、プリ・プレグ・フランジ９１２と、ハウジング・キャビティー９３６を有するハウジング９１４と、リップ部９１６と、を有するボード・インサート９１０の別の実施形態を示している。ハウジング９１４は、プリ・プレグ材料９３７と射出成形材料９３８の組合せから形成されている周囲壁部９３２と、射出成形材料から形成されている端壁部９３４と、を含む。周囲プリ・プレグ材料９３７は、好ましくは、フランジ９１２の一体部分であり、すなわち、フランジ９１２および周囲プリ・プレグ材料９３７は、好ましくは、プリ・プレグ材料の単一のシートから形成されている。これらのラインに沿って、フランジ９１２と周囲壁部９３２の少なくとも一部分とを形成するために使用されるプリ・プレグ・シート９１５は、周囲壁部フラップ９３２ａ、９３２ｂ、９３２ｃ、９３２ｄを含むことが可能であり、周囲壁部フラップ９３２ａ、９３２ｂ、９３２ｃ、９３２ｄは、フランジ９１２から内向きに配設されており、フランジ９１２に対して折り畳み可能である。
【００５６】
ボード・インサート９１０が形成されるときに、プリ・プレグ・フランジ９１２およびプリ・プレグ周囲壁部材料９３７が、モールドの中へ挿入され、射出成形材料が、その中に注入され、端壁部９３４、リップ部９１６、および、周囲壁部９３２の一部分を形成する。インサート９１０が形成されると、インサート９１０は、上記に説明されているように、ウォータ・スポーツ・ボードの中へインストールされ得る。
【００５７】
図２０は、フランジ９５２と、リップ部９５３と、周囲壁部９５６および端壁部９５８から構成されるインサート・ハウジング９５４と、を有するインサート９５０の追加的な実施形態を示している。インサート９５０は、第１のプリ・プレグ・シート９６０および第２のプリ・プレグ・シート９６２を含む。第１のプリ・プレグ・シート９６０は、フランジ９５２を画定する第１のセグメント９６４と、周囲壁部９５６の一部分を画定する第２のセグメント９６６とからなる。第２のプリ・プレグ・シート９６２は、周囲壁部９５６の一部分を画定する第１のセグメント９６８と、端壁部９５８の一部分を画定する第２のセグメント９７０と、を含む。１つの実施形態によれば、第１のプリ・プレグ・シート９６０の第２のセグメント９６６の一部分は、第２のプリ・プレグ・シート９６２の第１のセグメント９６８の一部分に重なり合っている。第１および第２のプリ・プレグ・シート９６０、９６２は、重なり合っている部分において、シート９６０、９６２の中に予備含浸された樹脂材料を介して、互いに少なくとも部分的に結合されている。
【００５８】
プリ・プレグ・シート９６０、９６２に加えて、ハウジング９５４は、射出成形材料（たとえば、プラスチック）から形成されている部分を含む。より具体的には、周囲壁部９５６は、第１のプリ・プレグ・シート９６０の第２のセグメント９６６から半径方向外向きに配設されている、上側の射出成形部分９７２と、第２のプリ・プレグ・シート９６２の第１のセグメント９６８から半径方向内向きに配設されている、下側の射出成形部分９７４と、を含む。また、端壁部９５８は、第２のプリ・プレグ・シート９６２の第２のセグメント９７０の内向きに配設されている射出成形部分９７６も含む。第１および第２のプリ・プレグ・シート９６０、９６２のうちの一方または両方は、１つまたは複数の開口部を含み、射出成形材料がそれを通って流れることを促進させることが可能である。
【００５９】
図２０に示されて上記に説明されている、プリ・プレグ・シート９６０、９６２に対する射出成形部分９７２、９７４、９７６の位置は、本質的に、単に例示的なものである。この点において、任意の射出成形部分９７２、９７４、９７６は、それぞれのシート９６０、９６２の内側に位置決めされ得、または代替的に、それぞれのシート９６０、９６２の外側に位置決めされ得る。
【００６０】
図２０に示されているリップ部９５３は、射出成形材料から形成されているが、他の実施形態では、リップ部９５３は、プリ・プレグ材料から形成され得るということも理解される。
【００６１】
図２１および図２２は、プリ・プレグ・フランジ１０１２と、ハウジング・キャビティー１０３６を有するハウジング１０１４と、リップ部１０１６と、を有するインサート１０１０のさらなる実施形態を示している。ハウジング１０１４は、射出成形された周囲壁部１０３２および端壁部１０３４を含む。リップ部１０１６を形成するために使用されるプリ・プレグ材料は、フランジ１０１２を形成するために使用されるものと同じプリ・プレグ材料であってもよく、または、異なるプリ・プレグ材料であってもよい。プリ・プレグ・フランジ１０１２は、上記に議論されているフランジ１２、５１２、６１２と同様に構成され得る。
【００６２】
ボード・インサート１０１０が形成されるときに、プリ・プレグ・フランジ１０１２およびプリ・プレグ・リップ部１０１６が、モールドの中へ挿入され、射出成形材料がその中に注入され、周囲壁部１０３２および端壁部１０３４を形成する。インサート１０１０が形成されると、インサート１０１０は、上記に説明されているように、ウォータ・スポーツ・ボードの中へインストールされ得る。
【００６３】
図２１ａは、図２１および図２２に示されているインサートの別の変形例を示している。図２１ａに示されている実施形態では、インサートは、フランジ１０１２ａとリップ部１０１６ａの少なくとも一部分とを形成する、単一の一体のプリ・プレグ・シート１０２０を含む。この点において、プリ・プレグ・シート１０２０は、フランジ部分１０２２およびリップ部部分１０２４を含み、リップ部部分１０２４は、フランジ部分１０２２から角度が付けられ、ウォータ・スポーツ・ボードの外側表面に向かって延在し、それによって、リップ部１０１６ａを画定している。
【００６４】
ここで図２３を参照すると、プリ・プレグ・フランジ１１１２と、ハウジング１１１４と、リップ部１１１６と、を有するボード・インサート１１１０の別の実施形態が示されている。プリ・プレグ・フランジ１１１２は、別々のフランジ・ピース１１１３、１１１５、１１１７、１１１９を含む。この点において、フランジ１１１２の特定の実施形態は、ハウジング１１１４の離散した部分から延在しており、したがって、フランジ１１１２は、ハウジング１１１４を完全には１周していないということが明示的に企図される。それぞれのフランジ・ピースは、対向する第１および第２の表面を含み、上記に議論されているフランジと同様の様式で機能する。この点において、フランジ・ピース１１１３、１１１５、１１１７、１１１９は、外部ポリマー・コーティング５６とハウジング１１１４との間の中間結合を提供する。
【００６５】
インサート１１１０が形成されるときに、個々のフランジ・ピース１１１３、１１１５、１１１７、１１１９が、モールドの中に設置され得、射出成形材料がモールドの中へ注入され、フランジ・ピース１１１３、１１１５、１１１７、１１１９に対してハウジング１１１４およびリップ部１１１６を形成する。
【００６６】
ここで図２４を参照すると、ボード・インサート１２１０のさらなる実施形態が示されている。図２４に示されているボード・インサート１２１０と上記に議論されているボード・インサートとの間の主要な差異は、ボード・インサート１２１０が、ハウジング１２１４の開いた端部部分に隣接するというよりも、むしろ、インサート・ハウジング１２１４の閉じた端部部分に隣接する、プリ・プレグ・フランジ１２１２を含むということである。この点において、インサート・ハウジング１２１４は、周囲壁部１２１６と、周囲壁部１２１６に連結されている端壁部１２１８を含み、キャビティー１２２０とハウジング１２１４の閉じた端部部分とを画定している。例示的な実施形態に示されているように、プリ・プレグ・フランジ１２１２は、端壁部１２１８の外側表面に隣接して配設されている。また、プリ・プレグ・フランジ１２１２は、ハウジング１２１４を少なくとも部分的に受け入れる中央開口部を含むことが可能であるということも企図される。複数の支持部材１２２２が、追加的な支持のために、プリ・プレグ・フランジ１２１２と周囲壁部１２１６との間に延在している。
【００６７】
１つの実施形態によれば、ボード・インサート１２１０がウォータ・スポーツ・ボードの中にインストールされるときに、プリ・プレグ・フランジ１２１２は、コアの外側表面から間隔を置いて配置される。この点において、プリ・プレグ・フランジ１２１２は、ボードコアの外側表面の上に配設されているポリマー・コーティングに直接的には結合されていない。むしろ、プリ・プレグ・フランジ１２１２は、インサート・ハウジング１２１４およびボードコアに結合されている。プリ・プレグ・フランジ１２１２は、フランジ１２１２の中に予備含浸されている樹脂材料、および、当技術分野で公知の接着剤または他の結合剤を使用して、ボードコアに結合され得る。充填エレメント１２２４は、周囲壁部１２１４の周りに、プリ・プレグ・フランジ１２１２から離れるように延在することが可能である。充填エレメント１２２４は、ボードコアと同様の材料（たとえば、フォーム）から形成され得、ボードコアの外側表面と実質的に同一平面になるように構成されている外側表面１２２５を含む。この点において、充填エレメント１２２４は、また、ポリマー・コーティングに結合され得る。
【００６８】
リップ部１２２６は、充填エレメント１２２４の外側表面１２２５を越えて周囲壁部１２１４を延在させることによって形成され得る。この点において、リップ部１２２６および周囲壁部１２１４は、一体の構造体であることが可能である。しかし、リップ部１２２６は、別々のエレメントであることが可能であり、それは、より詳細に上記に説明されているように、プリ・プレグ材料から形成され得るということも企図される。
【００６９】
先述のものは、いくつかの異なる目的のために幅広い範囲のウォータ・スポーツ・ボードにおいて使用され得るインサートのさまざまな実施形態を説明しているが、本発明の他の実施形態は、一方のパーツを別のパーツに装着するために他の車両または船舶において使用されるインサートを含むことが可能であるということも企図される。この点において、インサートは、ベース構造体を突出する構造体に接続するために、任意の下層のベース構造体の中に設置され得る。上記に説明されているように、「ベース構造体」は、ウォータ・スポーツ・ボードであるが、ベース構造体は、他の構造体を含むことが可能である。たとえば、ベース構造体は、セイルボートであることが可能であり、インサートは、マストなどのような突出する構造体をボートの船体に装着するために、セイルボートに連結され得る。代替的に、ベース構造体は、アンテナ、ミラー、または他の突出する構造体を車両フレームに装着するための車両フレームであることが可能である。また、ベース構造体は、建物であることが可能であり、インサートは、旗用ポールのためのマウントとしての役割を果たす目的のために、建物に連結され得るということも企図される。そのようなものとして、本発明の範囲は、ウォータ・スポーツ・ボードのためのインサートだけに限定されていないということ、および、インサートは、２つの構造体を接合するための幅広い範囲の用途で使用され得るということが明示的に企図される。
【００７０】
上記の説明は、限定としてではなく、例として与えられている。上記の開示を前提として、当業者は、本明細書で開示されている本発明の範囲および精神の中にある変形例を考え出すことが可能である。さらに、本明細書で開示されている実施形態のさまざまな特徴は、単独で、または、互いにさまざまに組み合わせて、使用され得、本明細書で説明されている特定の組合せに限定されることを意図していない。したがって、特許請求の範囲は、図示されている実施形態によって限定されない。
【図１】
0006679497.tif 000002
【図２】
0006679497.tif 000003
【図３】
0006679497.tif 000004
【図４】
0006679497.tif 000005
【図５】
0006679497.tif 000006
【図６】
0006679497.tif 000007
【図７】
0006679497.tif 000008
【図８】
0006679497.tif 000009
【図９】
0006679497.tif 000010
【図１０】
0006679497.tif 000011
【図１１】
0006679497.tif 000012
【図１２】
0006679497.tif 000013
【図１３】
0006679497.tif 000014
【図１４】
0006679497.tif 000015
【図１５】
0006679497.tif 000016
【図１６】
0006679497.tif 000017
【図１７】
0006679497.tif 000018
【図１７ａ】
0006679497.tif 000019
【図１７ｂ】
0006679497.tif 000020
【図１８】
0006679497.tif 000021
【図１９】
0006679497.tif 000022
【図２０】
0006679497.tif 000023
【図２１】
0006679497.tif 000024
【図２１ａ】
0006679497.tif 000025
【図２２】
0006679497.tif 000026
【図２３】
0006679497.tif 000027
【図２４】
0006679497.tif 000028